(57)【要約】【課題】本発明は、イーサネットパケットのオーバーフローを防ぐことが可能なマイクロ波多重無線システムの提供を目的とする。【解決手段】本発明のマイクロ波多重無線システムが有するマイクロ波多重無線装置２ａ，２ｂは、ＩＰネットワーク機器７ａ，７ｂと接続するイーサネットインタフェース９ａ，９ｂと、デジタル機器５ａ，５ｂと接続するデジタルインタフェース８ａ，８ｂと、他のマイクロ波多重無線装置２ｂ，２ａから受信した信号を記憶する送信バッファ３０ａ、３０ｂを備える。受信側のマイクロ波多重無線装置２ａ，２ｂは、送信バッファ３０ａ、３０ｂの残り容量が閾値未満となると、送信側のマイクロ波多重無線装置２ｂ，２ａにその旨を通知し、送信側のマイクロ波多重無線装置２ｂ，２ａはイーサネットに係る送信を停止する。【選択図】図３
2014183418.tif 000002
【特許請求の範囲】
【請求項１】
マイクロ波多重無線通信を行う複数のマイクロ波多重無線装置を備えるマイクロ波多重無線システムであって、
各前記マイクロ波多重無線装置は、
ＩＰネットワーク機器と接続するイーサネットインタフェースと、
デジタル機器と接続するデジタルインタフェースと、
他のマイクロ波多重無線装置から受信した信号を記憶するバッファとを備え、
受信側の前記マイクロ波多重無線装置は、前記バッファの残り容量が閾値未満となると、送信側の前記マイクロ波多重無線装置にその旨を通知し、送信側の前記マイクロ波多重無線装置はイーサネットに係る送信を停止する、
マイクロ波多重無線システム。
【請求項２】
受信側の前記マイクロ波多重無線装置は、前記ＩＰネットワーク機器からＰＡＵＳＥフレームを受信すると、送信側の前記マイクロ波多重無線装置にその旨を通知し、送信側の前記マイクロ波多重無線装置はイーサネットに係る送信を停止する、
請求項１に記載のマイクロ波多重無線システム。
【請求項３】
各前記マイクロ波多重無線装置は、
複数系の前記イーサネットインタフェースを有し、
受信側の前記マイクロ波多重無線装置は、前記イーサネットインタフェースの系を切り替える際に、送信側の前記マイクロ波多重無線装置にその旨を通知し、送信側の前記マイクロ波多重無線装置はイーサネットに係る送信を停止する、
請求項１又は２に記載のマイクロ波多重無線システム。
【請求項４】
マイクロ波多重無線通信を行う複数のマイクロ波多重無線装置を備えるマイクロ波多重無線システムであって、
各前記マイクロ波多重無線装置は、
ＩＰネットワーク機器と接続するイーサネットインタフェースと、
デジタル機器と接続する複数のデジタルインタフェースと、を備え、
受信側の前記マイクロ波多重無線装置は、前記ＩＰネットワーク機器からＰＡＵＳＥフレームを受信すると、送信側の前記マイクロ波多重無線装置にその旨を通知し、送信側の前記マイクロ波多重無線装置はイーサネットに係る送信を停止する、
マイクロ波多重無線システム。
【請求項５】
マイクロ波多重無線通信を行う複数のマイクロ波多重無線装置を備えるマイクロ波多重無線システムであって、
各前記マイクロ波多重無線装置は、
ＩＰネットワーク機器と接続する複数系のイーサネットインタフェースと、
デジタル機器と接続するデジタルインタフェースと、を備え、
受信側の前記マイクロ波多重無線装置は、前記イーサネットインタフェースの系を切り替える際に、送信側の前記マイクロ波多重無線装置にその旨を通知し、送信側の前記マイクロ波多重無線装置はイーサネットに係る送信を停止する、
マイクロ波多重無線システム。
【発明の詳細な説明】
【技術分野】
【０００１】
この発明は、ＩＰネットワークを接続するマイクロ波多重無線システムのオーバーフローを防ぐ技術に関する。
【背景技術】
【０００２】
従来のマイクロ波多重無線システムは、電話機等の複数の回線を端局装置が多重化し、CCITT勧告G703にて規定されている伝送速度に変換し、マイクロ波多重無線装置の各回線に入力される。マイクロ波多重無線装置は、各回線を多重化しマイクロ波回線で対向装置に送信を行うというものであった（非特許文献１参照）。しかし、近年のＩＰネットワークの広がりに伴い、マイクロ波多重無線システムを介してＩＰネットワークを接続するシステム構成が求められるようになった。マイクロ波多重無線システムにＩＰネットワークを接続した場合には、ＬＡＮインタフェースの速度がマイクロ波回線の速度を超過した場合に、データの消失が起こる課題がある。それを解決する方法として、特許文献１では、ＬＡＮインタフェースのトラフィックが増加した場合に、ＬＡＮインタフェース以外の空き回線をＬＡＮインタフェースの帯域に割り当てる旨を、制御チャネルを通じて対向の装置へ通知し、通信速度を上げてデータのオーバーフローを軽減する伝送帯域自動切替制御装置に関する技術が発明されている。
【先行技術文献】
【特許文献】
【０００３】
【特許文献１】特開２００４−２０７７７６号公報
【非特許文献】
【０００４】
【非特許文献１】国土交通省（旧建設省）「７．５ＧＨｚ帯４ＰＳＫ多重無線装置標準仕様書」建電通仕 第３３号、平成５年１２月２２日制定、ｐ．１−１６
【発明の概要】
【発明が解決しようとする課題】
【０００５】
特許文献１の解決手法は、伝送容量が小さく多重する回線数が少ない場合は、空き回線が発生する頻度が少なく、適用しにくいという問題点があった。
【０００６】
本発明は上述の問題点に鑑み、伝送容量が小さく多重する回線数が少ないマイクロ波多重無線システムにおいても、イーサネット（登録商標）パケットのオーバーフローを防ぐことが可能なマイクロ波多重無線システムの提供を目的とする。
【課題を解決するための手段】
【０００７】
本発明のマイクロ波多重無線システムは、マイクロ波多重無線通信を行う複数のマイクロ波多重無線装置を備え、各マイクロ波多重無線装置は、ＩＰネットワーク機器と接続するイーサネットインタフェースと、デジタル機器と接続するデジタルインタフェースと、他のマイクロ波多重無線装置から受信した信号を記憶するバッファとを備え、受信側のマイクロ波多重無線装置は、バッファの残り容量が閾値未満となると、送信側のマイクロ波多重無線装置にその旨を通知し、送信側のマイクロ波多重無線装置はイーサネットに係る送信を停止する。
【発明の効果】
【０００８】
本発明のマイクロ波多重無線システムは、マイクロ波多重無線通信を行う複数のマイクロ波多重無線装置を備え、各マイクロ波多重無線装置は、ＩＰネットワーク機器と接続するイーサネットインタフェースと、デジタル機器と接続するデジタルインタフェースと、他のマイクロ波多重無線装置から受信した信号を記憶するバッファとを備え、受信側のマイクロ波多重無線装置は、バッファの残り容量が閾値未満となると、送信側のマイクロ波多重無線装置にその旨を通知し、送信側のマイクロ波多重無線装置はイーサネットに係る送信を停止する。したがって、イーサネットパケットの通信量が増大しても、オーバーフローを防ぐことが可能である。
【図面の簡単な説明】
【０００９】
【図１】実施の形態１のマイクロ波多重無線システムの構成図である。
【図２】実施の形態１のマイクロ波多重無線装置の構成図である。
【図３】実施の形態１のマイクロ波多重無線装置の構成図である。
【図４】実施の形態１のマイクロ波多重無線装置のフローコントロール処理を示すフローチャートである。
【図５】実施の形態１のマイクロ波多重無線装置のフローコントロール処理を示すフローチャートである。
【図６】フレーム構成を示す図である。
【図７】実施の形態２のマイクロ波多重無線装置の構成図である。
【図８】実施の形態２のマイクロ波多重無線装置のフローコントロール処理を示すフローチャートである。
【図９】実施の形態２のマイクロ波多重無線装置のフローコントロール処理を示すフローチャートである。
【図１０】実施の形態２のマイクロ波多重無線装置の構成図である。
【図１１】実施の形態３のマイクロ波多重無線装置の構成図である。
【図１２】実施の形態３のマイクロ波多重無線装置のフローコントロール処理を示すフローチャートである。
【図１３】実施の形態３のマイクロ波多重無線装置の構成図である。
【発明を実施するための形態】
【００１０】
＜Ａ．実施の形態１＞
＜Ａ−１．構成＞
図１は、実施の形態１のマイクロ波多重無線システムの構成図である。マイクロ波多重無線システムは、無線装置１００ａ、１００ｂを備える。無線装置１００ａ、１００ｂは同様の構成であるので、図１では対応する構成要素に同じ参照符号を付し、参照符号の添え字で両者を区別することにする。
【００１１】
無線装置１００ａは、送受信を行うアンテナ１ａ、マイクロ波多重無線装置２ａ、端局装置３ａ、交換機４ａ、電話機５ａ、レイヤ２スイッチ（Ｌ２スイッチ）６ａ、サーバ７ａを備えている。電話機５ａは、交換機４ａを介して端局装置３ａと接続される。端局装置３ａは、マイクロ波多重無線装置２ａのデジタルインタフェース８ａに接続され、一定の伝送速度に多重化された信号を送受信する。また、マイクロ波多重無線装置２ａのイーサネットインタフェース９ａはレイヤ２スイッチ６ａに接続され、レイヤ２スイッチ６ａにはサーバ７ａが接続される。
【００１２】
無線装置１００ｂの構成は無線装置１００ａと同様であるので、説明を省略する。
【００１３】
マイクロ波多重無線装置１００ａ，１００ｂはアンテナ１ａ，１ｂ間でデータの送受信を行うことにより、２地点間で電話機による音声通話やサーバ間のデータ通信が可能となる。
【００１４】
図２に、マイクロ波多重無線装置１００ａの内部構成を示す。まず、受信系の構成について説明する。マイクロ波多重無線装置１００ａは、送受共用部１０ａ、受信部２２ａ、分離部１４ａ、イーサネットインタフェース変換部１５ａ、デジタルインタフェース変換部１６ａ、装置管理部２３ａを備える。送受共用部１０ａは、アンテナ１ａで受信した高周波信号の受信信号の分離を行う。受信部２２ａは、受信信号を増幅する低雑音増幅部１１ａの他、低雑音増幅部１１ａで増幅した信号を中間周波数にダウンコンバートする周波数変換部１２ａ、周波数変換部１２ａの出力信号にデジタル復調を行いベースバンド信号に変換する復調部１３ａを備えている。
【００１５】
分離部１４ａは、復調部１３ａが変換したベースバンド信号から論理チャネルを分離する。イーサネットインタフェース変換部１５ａは、マイクロ波多重無線装置２ａを１００ＢＡＳＥ−ＴＸのイーサネットインタフェースと接続するためのインタフェース変換を行う。デジタルインタフェース変換部１６ａは、マイクロ波多重無線装置２ａをデジタルネットワークと接続するためにインタフェース変換を行う。
【００１６】
さらにマイクロ波多重無線装置２ａは、送信系として多重部１７ａと送信部２１ａを備える。多重部１７ａは、デジタルインタフェース変換部１６ａから取得したデジタルインタフェースデータとイーサネットインタフェース変換部１５ａから取得したイーサネットパケットを多重し、ベースバンド信号として出力する。送信部２１ａは、変調部１８ａ、周波数変換部１９ａ、電力増幅部２０ａを備えている。変調部１８ａは、多重部１７ａからのベースバンド信号にＱＰＳＫ変調をかけて中間周波数で出力する。周波数変換部１９ａは、変調部１８ａの出力信号を受け、中間周波数から高周波信号にアップコンバートする。電力増幅部２０ａは、周波数変換部１９ａの出力信号を受け、その電力を増幅する。電力増幅部２０ａで増幅された信号は、送受共用部１０ａを通ってアンテナ１ａから送信される。
【００１７】
マイクロ波多重無線装置２ｂの構成は、マイクロは多重無線装置２ａの構成と同様であるので、説明を省略する。
【００１８】
＜Ａ−２．送受信動作＞
図３は、マイクロ波多重無線装置２ａ，２ｂのイーサネットインタフェース変換部１５ａ，１５ｂ、多重部１７ａ，１７ｂ、分離部１４ａ，１４ｂの内部構成を示すブロック図である。
【００１９】
デジタルインタフェース８ａからマイクロ波多重無線装置２ａに入力されたデジタルチャネルデータは、デジタルインタフェース変換部１５ａにて、バイポーラ信号からユニポーラ信号に変換される。
【００２０】
イーサネットインタフェース変換部１５は、ＰＨＹ２４ａと、ＭＡＣ部２５ａを備えている。ＭＡＣ部２５ａは、制御部２６ａ、受信バッファ２７ａ、受信バッファ２７ａのバッファ残量を監視するバッファ残量監視部２８ａ、送信バッファ３０ａ、送信バッファ３０ａのバッファ残量を監視するバッファ残量監視部２９ａを備えている。イーサネットインタフェース９ａから送られたイーサネットパケットは、ＰＨＹ２４ａでインタフェース変換され、さらに制御部２６ａを経由して受信バッファ２７ａに取り込まれる。
【００２１】
多重部１７ａは、論理チャネル同期・多重部３１ａと制御チャネル生成部３２ａを備えている。論理チャネル同期・多重部３１ａは、デジタルインタフェース変換部１６ａでユニポーラ信号に変換されたデジタルチャネルデータと、受信バッファ２７ａが保持するイーサネットパケットを取得し、これらを多重化し、物理チャネルにマッピングする。多重化された信号は、その後、送信部２１ａへ送られ、送受共用部１０ａを通ってアンテナ１ａから送信される。
【００２２】
一方、受信側のマイクロ波多重無線装置２ｂは、マイクロ波多重無線装置２ａの送信信号をアンテナ１ｂで受信し、送受共用部１０ｂを介して受信部２２ｂで復調する。
【００２３】
分離部１４ｂは、論理チャネル分離部１４ｂと制御チャネル解析部３３ｂを備えている。受信部２２ｂで復調されたデータは、分離部１４ｂで論理チャネルと制御チャネルに分離され、論理チャネル分離部３４ｂでイーサネットパケットとデジタルインタフェースデータに分離される。デジタルインタフェースデータは、デジタルインタフェース変換部１６ｂでユニポーラからバイポーラに変換され、デジタルインタフェース８ｂから端局装置３ｂに出力される。一方、イーサネットパケットは、イーサネットインタフェース変換部１５ｂのＭＡＣ部２５ｂの送信バッファ３０ｂに蓄積される。送信バッファ３０ｂに蓄積されたイーサネットパケットは、制御部２６ｂを介してＰＨＹ２４ｂに送られ、ＰＨＹ２４ｂでインタフェース変換され、イーサネットインタフェース９ａからレイヤ２スイッチ６ｂに出力される。
【００２４】
＜Ａ−３．フローコントロール＞
次に、マイクロ波多重無線装置２ｂからマイクロ波多重無線装置２ａへのフローコントロールを例にして、フローコントロールについて説明する。なお、図３において、フローコントロールにおけるデータの流れを太い矢印で示している。
【００２５】
図４は、マイクロ波多重無線装置２ｂにおけるフローコントロールビットの設定処理を示すフローチャートである。マイクロ波多重無線装置２ｂのバッファ残量監視部２９ｂは、マイクロ波多重無線装置２ａから受信したイーサネットパケットを保存する送信バッファ３０ｂの残量を監視し、残量が一定値以下であるか否かを判断する（ステップＳ１）。残量が一定値以下であれば（ステップＳ１でＹｅｓ）、バッファ残量監視部２９ｂから多重部１７ｂの制御チャネル生成部３２ｂへその旨が通知される。当該通知を受けた制御チャネル生成部３２ｂは、予め制御チャネルに割り当てられているフローコントロールビットに、送信停止を示す“１”を設定する（ステップＳ２）。
【００２６】
バッファ残量監視部２９ｂは、送信バッファ３０ｂの残量を定期的に監視する（ステップＳ１）。バッファ残量が一定値以上であれば（ステップＳ１でＮｏ）、その旨がバッファ残量監視部２９ｂから多重部１７ｂの制御チャネル生成部３２ｂに通知される。当該通知を受けた制御チャネル生成部３２ｂは、現在のフローコントロールビットが“１”か否かを判断し（ステップＳ３）、“１”であれば（ステップＳ３でＹｅｓ）、フローコントロールビットに送信再開を示す“０”を設定する（ステップＳ４）。“０”であれば（ステップＳ３でＮｏ）、フローコントロールビットの変更は必要ないため、ステップＳ１に戻って送信バッファ３０ｂの残量を監視する。
【００２７】
こうしてフローコントロールビットが設定された制御チャネルを含む送信データは、送信部２１ｂ、送受共用部１０ｂを介してアンテナ１ｂからマイクロ波多重無線装置２ａに送信される。
【００２８】
図５は、フローコントロールにおけるマイクロ波多重無線装置２ａの処理を示すフローチャートである。マイクロ波多重無線装置２ａは、マイクロ波多重無線装置２ｂからの受信データを、送受共用部１０ａ、受信部２２ａを介して制御チャネル解析部３３ａに送る。制御チャネル解析部３３ａでは、受信データからフローコントロールビットを抽出し、フローコントロールビットが“１”か否かを判断する（ステップＳ１１）。制御チャネル解析部３３ａは、フローコントロールビットの抽出結果を論理チャネル同期・多重部３１ａに通知する。通知を受けた論理チャネル同期・多重部３１ａは、フローコントロールビットが１であれば（ステップＳ１１でＹｅｓ）、受信バッファ２７ａからイーサネットパケットの読み出しを停止する（ステップＳ１２）。結果として、マイクロ波多重無線装置２ａからマイクロ波多重無線装置２ｂへのイーサネットパケットの送信は停止する。
【００２９】
ステップＳ１１で、フローコントロールビットが“０”である場合、制御チャネル解析部３３ａから通知を受けた論理チャネル同期・多重部３１ａは、受信バッファ２７ａからイーサネットパケットの読み出しを実行する（ステップＳ１３）。結果として、マイクロ波多重無線装置２ａからマイクロ波多重無線装置２ｂへイーサネットパケットが送信される。
【００３０】
すなわち、受信側のマイクロ波多重無線装置２ｂにおいて上記のようにフローコントロールビットを設定することにより、マイクロ波多重無線装置２ａからマイクロ波多重無線装置２ｂへの送信データの停止又は再開を制御することができる。
【００３１】
次に、制御チャネルへのフローコントロールビットの割り当てについて、図６に沿って説明する。図６（ａ）に示すように、１つのマルチフレームは３２個のサブフレームから構成される。サブフレームは、データを伝送する論理チャネルと制御情報を伝送する制御チャネルに分かれる（図６（ｂ））。論理チャネルには、デジタルインタフェースデータとイーサネットパケットが割り当てられる。制御チャネルには、フローコントロールビットの他に、同期確立するためのワードシンク情報、受信した信号が正しいか確認するためのリンク番号、論理チャネル同期・多重部３１ａで発生するスタッフ情報等が割り当てられる。図６（ｃ）に示すように、フローコントロールビット（ＦＬ）は誤り保護のため４回繰返し送信とし、１マルチフレーム毎にマッピングする。
【００３２】
＜Ａ−４．効果＞
実施の形態１のマイクロ波多重無線システムは、マイクロ波多重無線通信を行う複数のマイクロ波多重無線装置２ａ，２ｂを備え、各マイクロ波多重無線装置２ａ，２ｂは、ＩＰネットワーク機器と接続するイーサネットインタフェース９ａ，９ｂと、デジタル機器と接続するデジタルインタフェース８ａ，８ｂと、他のマイクロ波多重無線装置２ｂ，２ａから受信した信号を記憶する送信バッファ３０ａ，３０ｂを備え、受信側のマイクロ波多重無線装置２ｂ，２ａは、送信バッファ３０ａ，３０ｂの残り容量が閾値未満となると、送信側のマイクロ波多重無線装置２ａ，２ｂにその旨を通知し、送信側のマイクロ波多重無線装置２ａ，２ｂはイーサネットに係る送信を停止する。したがって、送信バッファ３０ａ，３０ｂの残り容量に従いイーサネットパケットのオーバーフローを未然に防ぐことが可能である。
【００３３】
＜Ｂ．実施の形態２＞
図７は、実施の形態２のマイクロ波多重無線システムにおけるマイクロ波多重無線装置２ａ，２ｂの構成図である。実施の形態２のマイクロ波多重無線装置２ａ，２ｂは、イーサネットインタフェース変換部１５ａ，１５ｂのＭＡＣ部２５ａ，２５ｂの制御部２６ａ，２６ｂから、多重部１７ａ，１７ｂの制御チャネル生成部３２ａ，３２ｂへの信号経路が存在する点が実施の形態１と異なる。それ以外の構成は実施の形態１と同様であるので、説明を省略する。
【００３４】
＜Ｂ−１．フローコントロール＞
実施の形態１では、受信側のマイクロ波多重無線装置２ｂで送信バッファ３０ｂのオーバーフローを検出することによりフローコントロールを行う方法を示した。実施の形態２では、実施の形態１のフローコントロールに加えて、受信側のマイクロ波多重無線装置２ｂがイーサネットインタフェース９ｂの接続先ネットワーク機器からＰＡＵＳＥフレームを受信したことを契機としてフローコントロールを行う。なお、図７には、実施の形態２のフローコントロールにおけるデータの流れを太い矢印で示している。
【００３５】
以下、ＰＡＵＳＥフレームに伴うフローコントロール動作を説明する。実施の形態１と同様、マイクロ波多重無線装置２ｂからマイクロ波多重無線装置２ａへのフローコントロールを例に、フローコントロールの方法を説明する。
【００３６】
図８は、マイクロ波多重無線装置２ｂにおけるフローコントロールビットの設定処理を示すフローチャートである。
【００３７】
マイクロ波多重無線装置２ｂがイーサネットインタフェース９ｂから受信したイーサネットパケットは、ＰＨＹ２４ｂを経てＭＡＣ部２５ｂの制御部２６ｂに入力される。制御部２６ｂでは、イーサネットパケットがＰＡＵＳＥフレームであるか否かを判断する（ステップ２１）。ここでＰＡＵＳＥフレームとは、マイクロ波多重無線装置２ｂと接続しているサーバ７ｂ等のネットワーク機器が送信するフレームであり、当該ネットワーク機器が有するバッファメモリの残量が所定値以下になると送信される。
【００３８】
制御部２６ｂにおけるステップＳ２１の判断結果は、多重部１７ｂの制御チャネル生成部３２ｂに通知される。受信したイーサネットパケットがＰＡＵＳＥフレームであった場合（ステップＳ２１でＹｅｓ）、制御チャネル生成部３２ｂはフローコントロールビットに送信停止を示す“１”を設定する（ステップＳ２２）。受信したイーサネットパケットがＰＡＵＳＥフレームの解除信号である場合や、あるいはＰＡＵＳＥフレーム以外の信号である場合（ステップＳ２１でＮｏ）、制御チャネル生成部３２ｂはフローコントロールビットに送信実行を示す“０”を設定する（ステップＳ２２）。
【００３９】
こうしてフローコントロールビットが設定された制御チャネルを含む送信データは、送信部２１ｂ、送受共用部１０ｂを介してアンテナ１ｂからマイクロ波多重無線装置２ａに送信される。
【００４０】
図９は、実施の形態２のフローコントロールにおけるマイクロ波多重無線装置２ａの処理を示すフローチャートである。マイクロ波多重無線装置２ａは、マイクロ波多重無線装置２ｂからの受信データを、送受共用部１０ａ、受信部２２ａを介して制御チャネル解析部３３ａに送る。制御チャネル解析部３３ａでは、受信データからフローコントロールビットを抽出し、フローコントロールビットが“１”か否かを判断する（ステップＳ３１）。
【００４１】
制御チャネル解析部３３ａは、フローコントロールビットの抽出結果を、イーサネットインタフェース変換部１５ａのＭＡＣ部２５ａ内の制御部２６ａへ通知する。通知を受けた制御部２６ａは、フローコントロールビットが“１”であれば（ステップＳ３１でＹｅｓ）、ＰＡＵＳＥフレームをＰＨＹ２４ａに出力する。ＰＡＵＳＥフレームは、ＰＨＹ２４ａ、イーサネットインタフェース９ａ、Ｌ２スイッチ６ａを介してサーバ７ａに送信される（ステップＳ３２）。ＰＡＵＳＥフレームを受信したサーバ７ａは、イーサネットパケットの送信を停止する。
【００４２】
ステップＳ３１で、フローコントロールビットが“０”である場合、制御部２６ａは、ＰＡＵＳＥフレームの解除を示す信号をＰＨＹ２４ａに出力する。ＰＡＵＳＥフレームの解除を示す信号は、ＰＨＹ２４ａ、イーサネットインタフェース９ａ、Ｌ２スイッチ６ａを介してサーバ７ａに送信される（ステップＳ３３）。当該信号を受信したサーバ７ａは、イーサパケットの送信を再開する。
【００４３】
なお、ＰＡＵＳＥフレームに伴うフローコントロールは、実施の形態１のフローコントロールに加えて行うと説明したが、ＰＡＵＳＥフレームに伴うフローコントロールのみを独立して行っても良い。その場合のマイクロ波多重無線装置２ａ，２ｂの信号経路は図１０に示すとおりである。
【００４４】
＜Ｂ−２．効果＞
実施の形態２に係るマイクロ波多重無線システムにおいて、受信側のマイクロ波多重無線装置２ａ，２ｂは、サーバ７ａ，７ｂ等のＩＰネットワーク機器からＰＡＵＳＥフレームを受信すると、送信側のマイクロ波多重無線装置２ｂ，２ａにその旨を通知し、送信側のマイクロ波多重無線装置２ｂ，２ａはイーサネットに係る送信を停止する。したがって、ＰＡＵＳＥフレームに従いイーサネットパケットのオーバーフローを未然に防ぐことが可能である。
【００４５】
＜Ｃ．実施の形態３＞
＜Ｃ−１．構成＞
実施の形態１のマイクロ波多重無線システムでは、イーサネットインタフェースが１重系であったが、実施の形態３のマイクロ波多重無線システムは、複数系のイーサネットインタフェースを備えている。図１１は、２重系のイーサネットインタフェースを備えたマイクロ波多重無線システムにおける、マイクロ波多重無線装置２ｃ、２ｄの構成図である。
【００４６】
マイクロ波多重無線装置２ｃは、実施の形態１のマイクロ波多重無線装置２ａの構成において、イーサネットインタフェース変換部を２重系にし、多重部１７ａに系選択部３５ａを備えたものである。また、装置管理部２３ａ，２３ｂから、系選択部３５ａ，３５ｂ、多重部１７ａ，１７ｂの制御チャネル生成部３２ａ，３２ｂ、２重系のイーサネットインタフェース変換部夫々への信号経路が存在する。それ以外の構成はマイクロ波多重無線装置２ａと同様であるので、説明を省略する。
【００４７】
すなわち、マイクロ波多重無線装置２ｃは、イーサネットインタフェース９ａ１と接続するイーサネットインタフェース変換部１系１５ａ１、イーサネットインタフェース９ａ２と接続するイーサネットインタフェース変換部２系１５ａ２を備えている。
【００４８】
マイクロ波多重無線装置２ｄの構成はマイクロ波多重無線装置２ｃと同様であり、マイクロ波多重無線装置２ｃと同様の構成は、図１１において参照符号の添え字をａからｂに置き換えて区別している。
【００４９】
＜Ｃ−２．動作＞
次に、マイクロ波多重無線装置２ａ（２ｂ）がイーサネットインタフェース変換部１系１５a（１５ｂ）を選択している場合の動作を説明する。
【００５０】
マイクロ波多重無線装置２ａは、イーサネットインタフェース９ａ１，９ａ２からイーサネットパケットを受信する。多重部１７ａの系選択部３５ａは、装置管理部２３ａの指示により、インサーネットインタフェース変換部１系１５ａ１からのイーサネットパケットを選択する。選択したイーサネットパケットは、論理チャネル同期・多重部３１ａ、送信部２１ａ、送受共用部１０ａを経てアンテナ１ａからマイクロ波多重無線装置２ｂへ送信される。
【００５１】
マイクロ波多重無線装置２ｂで受信した信号は、送受共用部１０ｂ、受信部２２ｂを経て分離部１４ｂに入力される。分離部１４ｂの論理チャネル分離部３４ｂでは、受信信号がイーサネットパケットとデジタルインタフェースデータに分離される。そのうち、イーサネットパケットは、イーサネットインタフェース変換部１系１５ｂ１とイーサネットインタフェース変換部２系１５ｂ２に入力される。
【００５２】
そして、装置管理部２３ｂの指示に従い、イーサネットパケットはイーサネットインタフェース変換部１系１５ｂ１からイーサネットインタフェース９ｂ１に出力される。一方、イーサネットインタフェース変換部２系１５ｄからイーサネットパケットは送信されない。
【００５３】
＜Ｃ−３．フローコントロール＞
次に、マイクロ波多重無線装置２ｂのイーサネットインタフェース変換部を１系から２系に切り替える場合のフローコントロールを、図１２のフローチャートに沿って説明する。以下に説明するフローコントロールは、実施の形態１で説明した送信バッファ残量に基づくフローコントロールに加えて行われる。
【００５４】
マイクロ波多重無線装置２ｂの装置管理部２３ｂは、イーサネットインタフェース変換部のバッファのオーバーフローを防ぐために、多重部１７ｂの制御チャネル生成部３２ｂへフローコントロールビットの送信を指示する。指示を受けた制御チャネル生成部３２ｂは、予め制御チャネルに割り当てられているフローコントロールビットに、送信停止を示す“１”を設定する。当該制御チャネルを含む送信データは、送信部２１ｂ、送受共用部１０ｂを介してアンテナ１ｂから対向装置であるマイクロ波多重無線装置２ａに送信される（ステップＳ４１）。
【００５５】
マイクロ波多重無線装置２ａはマイクロ波多重無線装置２ｂからの信号をアンテナ１ａで受信する。受信信号は、送受共用部１０ａ、受信部２２ａを経て分離部１４ａに入力される。分離部１４ａの制御チャネル解析部３３ａでは、受信信号からフローコントロールビットを抽出する。フローコントロールビットに“１”が設定されている場合は、その旨が制御チャネル解析部３３ａから論理チャネル同期・多重部３１ａに通知される。通知を受けた論理チャネル同期・多重部３１ａは、イーサネットパケットの送信を停止する。
【００５６】
次に、イーサネットインタフェース変換部１系１５ｂ１は、装置管理部２３ｂの指示により、イーサネットインタフェース１系９ｂ１へのイーサパケットの送信を停止する（ステップＳ４２）。
【００５７】
次に、多重部１７ｂの系選択部３５ｂは、対向装置であるマイクロ波多重無線装置２ａへの送信データとして、装置管理部２３ｂの指示によりイーサネットインタフェース変換部２系１５ｂ２からの信号を選択する（ステップＳ４３）。
【００５８】
次に、イーサネットインタフェース変換部２系１５ｂ２は、装置管理部２３ｂの指示に従い、イーサネットインタフェース２系９ｂ２へのイーサパケットの送信を再開する（ステップＳ４４）。その後、制御チャネル生成部３２ｂは装置管理部２３ｂの指示に従い、制御チャネルのフローコントロールビットに “０”を設定する。当該制御チャネルを含むデータはマイクロ波回線でマイクロ波多重無線装置２ａに送信される（ステップＳ４５）。その後は実施の形態１と同様に、マイクロ波多重無線装置２ａの送信停止が解除される。
【００５９】
なお、上記のフローコントロールは、実施の形態１で説明した送信バッファ残量に基づくフローコントロールに加えて行うと説明したが、実施の形態２で説明したＰＡＵＳＥフレームに基づくフローコントロールに加えて行っても良い。あるいは、上記のフローコントロールのみを行っても良い。その場合のマイクロ波多重無線装置２ｃ，２ｄの信号経路は図１３に示すとおりである。
【００６０】
＜Ｃ−４．効果＞
実施の形態３のマイクロ波多重無線システムにおいて、各マイクロ波多重無線装置２ｃ，２ｄは、複数系のイーサネットインタフェース９ａ１，９ａ２，９ｂ１，９ｂ２を有し、受信側のマイクロ波多重無線装置２ｄ，２ｃは、イーサネットインタフェース９ｂ１，９ｂ２，９ａ１，９ａ２の系を切り替える際に、送信側のマイクロ波多重無線装置２ｃ，２ｄにその旨を通知し、送信側のマイクロ波多重無線装置２ｃ，２ｄはイーサネットに係る送信を停止する。したがって、イーサネットインタフェースの系を切り替える際のイーサネットパケットの消失を防ぐことができる。
【００６１】
なお、本発明は、その発明の範囲内において、（各実施の形態を自由に組み合わせたり、各）実施の形態を適宜、変形、省略することが可能である。
【符号の説明】
【００６２】
１ａ，１ｂ  アンテナ、２ａ，２ｂ  マイクロ波多重無線装置、３ａ，３ｂ  端局装置、４ａ，４ｂ  交換機、５ａ，５ｂ  電話機、６ａ，６ｂ  Ｌ２スイッチ、７ａ，７ｂ  サーバ、８ａ，８ｂ  デジタルインタフェース、９ａ，９ｂ  イーサネットインタフェース、９ａ１，９ｂ１  イーサネットインタフェース１系、９ａ２，９ｂ２  イーサネットインタフェース２系、１０ａ，１０ｂ  送受共用部、１１ａ  低雑音増幅部、１２ａ  周波数変換部、１３ａ  復調部、１４ａ，１４ｂ  分離部、１５ａ，１５ｂ  イーサネットインタフェース変換部、１５ａ１，１５ｂ１  イーサネットインタフェース変換部１系、１５ａ２，１５ｂ２  イーサネットインタフェース変換部２系、１６ａ，１６ｂ  デジタルインタフェース変換部、１７ａ，１７ｂ  多重部、１８ａ  変調部、１９ａ  周波数変換部、２０ａ  電力増幅部、２１ａ，２１ｂ  送信部、２２ａ，２２ｂ  受信部、２３ａ，２３ｂ  装置管理部、２４ａ，２４ｂ  ＰＨＹ部、２５ａ，２５ｂ  ＭＡＣ部、２６ａ，２６ｂ  制御部、２７ａ，２７ｂ  受信バッファ、２８ａ，２８ｂ  バッファ残量監視部、２９ａ，２９ｂ  バッファ残量監視部、３０ａ，３０ｂ  送信バッファ、３１ａ，３１ｂ  論理チャネル同期・多重部、３２ａ，３２ｂ  制御チャネル生成部、３３ａ，３３ｂ  制御チャネル解析部、３４ａ，３４ｂ  論理チャネル分離部、３５ａ，３５ｂ  系選択部、１００ａ，１００ｂ  無線装置。
【図１】
2014183418.tif 000003
【図２】
2014183418.tif 000004
【図３】
2014183418.tif 000005
【図４】
2014183418.tif 000006
【図５】
2014183418.tif 000007
【図６】
2014183418.tif 000008
【図７】
2014183418.tif 000009
【図８】
2014183418.tif 000010
【図９】
2014183418.tif 000011
【図１０】
2014183418.tif 000012
【図１１】
2014183418.tif 000013
【図１２】
2014183418.tif 000014
【図１３】
2014183418.tif 000015